(57)【要約】【課題】メッセージの発信者が、電話帳に保存された電話番号を別に書き取ったり覚えたりしてメッセージに記入せずとも、当該電話番号を相手側に教えられるようにする。【解決手段】本発明に係るデータ転送方法は、第１移動通信端末機に保存されている電話番号を第２移動通信端末機へ転送するデータ転送方法であって、前記第１移動通信端末機で所定のユーザインターフェースを表示し、これによる入力に応じて該第１移動通信端末機のデータベースに保存されている電話番号の選択を実行する段階と、前記第２移動通信端末機へ転送するメッセージを前記第１移動通信端末機で生成する段階と、前記第１移動通信端末機で所定のユーザインターフェースを表示し、これによる入力に応じて、前記メッセージの一情報として前記選択電話番号を含める段階と、当該メッセージを前記第１移動通信端末機から前記第２移動通信端末機へ転送する段階と、を含むことを特徴とする。【選択図】図２
2007202113.tif 000002
【特許請求の範囲】
【請求項１】
第１移動通信端末機に保存されている電話番号を第２移動通信端末機へ転送するデータ転送方法であって、
前記第１移動通信端末機で所定のユーザインターフェースを表示し、これによる入力に応じて該第１移動通信端末機のデータベースに保存されている電話番号の選択を実行する段階と、
前記第２移動通信端末機へ転送するメッセージを前記第１移動通信端末機で生成する段階と、
前記第１移動通信端末機で所定のユーザインターフェースを表示し、これによる入力に応じて、前記メッセージの一情報として前記選択電話番号を含める段階と、
当該メッセージを前記第１移動通信端末機から前記第２移動通信端末機へ転送する段階と、を含み、
前記メッセージを受信した前記第２移動通信端末機が、当該メッセージに含まれている前記電話番号に関する操作に応じて所定の動作を実行することを特徴とするデータ転送方法。
【請求項２】
前記メッセージを受信した前記第２移動通信端末機が、当該メッセージに含まれている前記電話番号に関する操作に応じて当該電話番号へ発呼することを特徴とする請求項１に記載のデータ転送方法。
【請求項３】
前記メッセージを受信した前記第２移動通信端末機が、当該メッセージに含まれている前記電話番号に関する操作に応じて当該電話番号を自機のデータベースに保存することを特徴とする請求項１に記載のデータ転送方法。
【請求項４】
前記メッセージの一情報として前記選択電話番号を含める段階において、前記選択電話番号を前記メッセージの発信者情報として含めることを特徴とする請求項１に記載のデータ転送方法。
【請求項５】
前記メッセージの一情報として前記選択電話番号を含める段階において、前記選択電話番号を前記メッセージの本文中に含めることを特徴とする請求項１に記載のデータ転送方法。
【請求項６】
前記第１移動通信端末機のデータベースに保存されている電話番号の選択を実行する段階は、前記第２移動通信端末機へ転送するメッセージを生成する段階の前に実行することを特徴とする請求項１に記載のデータ転送方法。
【請求項７】
前記第２移動通信端末機へ転送するメッセージを生成する段階は、前記第１移動通信端末機のデータベースに保存されている電話番号の選択を実行する段階の前に実行することを特徴とする請求項１に記載のデータ転送方法。
【請求項８】
第１移動通信端末機のデータベースに保存されているデータを第２移動通信端末機へ転送するデータ転送方法であって、
前記第１移動通信端末機で所定のユーザインターフェースを表示し、これによる入力に応じて前記データベースから所定のフォーマットでデータの選択を実行する段階と、
前記第１移動通信端末機で生成したメッセージにおける発信者情報として前記選択データを含める段階と、
前記選択データを含めた前記メッセージを前記第２移動通信端末機へ転送する段階と、
を含むことを特徴とするデータ転送方法。
【請求項９】
前記メッセージを受信した前記第２移動通信端末機が、当該メッセージに含まれている前記データに関する操作に応じて所定の動作を実行することを特徴とする請求項８に記載のデータ転送方法。
【請求項１０】
前記メッセージを受信した前記第２移動通信端末機が、当該メッセージに含まれている前記データに関する操作に応じて応答通信を実行することを特徴とする請求項８に記載のデータ転送方法。
【請求項１１】
前記所定のフォーマットが前記第２移動通信端末機のデータベースに保存を行うためのもので、前記データが電話番号、名前、メールアドレス及びＵＲＬのうちの少なくとも一つであることを特徴とする請求項８に記載のデータ転送方法。
【請求項１２】
前記所定のフォーマットが電話番号を保存するためのものであることを特徴とする請求項８に記載のデータ転送方法。
【請求項１３】
前記所定のフォーマットがメールアドレスを保存するためのものであることを特徴とする請求項８に記載のデータ転送方法。
【請求項１４】
前記所定のフォーマットがカレンダーを保存するためのものであることを特徴とする請求項８に記載のデータ転送方法。
【請求項１５】
前記メッセージを受信した前記第２移動通信端末機が、当該メッセージに含まれている前記データに関する操作に応じて当該データの示す電話番号に発呼することを特徴とする請求項８に記載のデータ転送方法。
【請求項１６】
前記メッセージを受信した前記第２移動通信端末機が、当該メッセージに含まれている前記データに関する操作に応じて当該データの示すメールアドレスへ送るメッセージを準備することを特徴とする請求項８に記載のデータ転送方法。
【請求項１７】
前記メッセージを受信した前記第２移動通信端末機が、当該メッセージに含まれている前記データに関する操作に応じて自機のカレンダーに前記データによる日付を保存することを特徴とする請求項８に記載のデータ転送方法。
【請求項１８】
前記メッセージを受信した前記第２移動通信端末機が、当該メッセージに含まれている前記データに関する操作に応じて自機の電話帳に前記データによる電話番号を保存することを特徴とする請求項８に記載のデータ転送方法。
【請求項１９】
所定のユーザインターフェースを表示し、これによる入力に応じて自機のデータベースから所定のフォーマットでデータを選択する手段、
メッセージを生成し、該メッセージに前記選択データを含める手段、及び、
前記選択データを含めた前記メッセージを他機に転送する手段、
として動作する制御部を備え、
前記メッセージの転送を受けた他機において当該メッセージに含まれている前記データに関する操作に応じて応答通信が実行されるように、前記データベースに保存されているデータを転送可能なことを特徴とする移動通信端末機。
【請求項２０】
前記フォーマットが電話番号のためのものであることを特徴とする請求項１９に記載の移動通信端末機。
【請求項２１】
前記フォーマットがメールアドレスのためのものであることを特徴とする請求項１９に記載の移動通信端末機。
【請求項２２】
前記フォーマットが日付のためのものであることを特徴とする請求項１９に記載の移動通信端末機。
【請求項２３】
前記フォーマットがＵＲＬのためのものであることを特徴とする請求項１９に記載の移動通信端末機。
【請求項２４】
請求項２０に記載の移動通信端末機から前記データを含んだ前記メッセージを受信すると、
当該メッセージに含まれている前記データに関する操作に応じて、該データの示す電話番号へ発呼することを特徴とする移動通信端末機。
【請求項２５】
請求項２１に記載の移動通信端末機から前記データを含んだ前記メッセージを受信すると、
当該メッセージに含まれている前記データに関する操作に応じて、該データの示すメールアドレスに送信するメッセージを準備することを特徴とする移動通信端末機。
【請求項２６】
請求項２３に記載の移動通信端末機から前記データを含んだ前記メッセージを受信すると、
当該メッセージに含まれている前記データに関する操作に応じて、該データの示すＵＲＬへアクセスすることを特徴とする移動通信端末機。
【請求項２７】
請求項２０に記載の移動通信端末機から前記データを含んだ前記メッセージを受信すると、
当該メッセージに含まれている前記データに関する操作に応じて、該データの示す電話番号に送信するメッセージを準備することを特徴とする移動通信端末機。
【請求項２８】
第１移動通信端末機に保存されている電話番号を第２移動通信端末機へ転送するデータ転送方法であって、
前記第１移動通信端末機で所定のユーザインターフェースを表示し、これによる入力に応じて該第１移動通信端末機のデータベースに保存されている電話番号の選択を実行する段階と、
前記第２移動通信端末機へ転送する文字メッセージを前記第１移動通信端末機で生成する段階と、
前記第１移動通信端末機で所定のユーザインターフェースを表示し、これによる入力に応じて、前記メッセージの一情報として前記選択電話番号を含める段階と、
当該メッセージを前記第１移動通信端末機から前記第２移動通信端末機へ転送する段階と、
を含むことを特徴とするデータ転送方法。
【請求項２９】
前記メッセージは、該メッセージの発信者に関する情報のためのセクションを含み、
前記第１移動通信端末機は、前記電話番号を当該セクションに含めることを特徴とする請求項２８に記載のデータ転送方法。
【請求項３０】
前記第１移動通信端末機のデータベースに保存されている電話番号の選択を実行する段階は、
前記電話番号の一部が入力されることで電話番号検索オプションを活性化する段階と、
該電話番号検索オプションにより、前記入力された電話番号の一部とマッチングする少なくとも一つの電話番号を前記データベースから検索して表示する段階と、
該表示した電話番号から選択を実行する段階と、
を含むことを特徴とする請求項２８に記載のデータ転送方法。
【請求項３１】
第１移動通信端末機のデータベースに保存されているデータを転送するデータ転送方法であって、
前記第１移動通信端末機で所定のユーザインターフェースを表示し、これによる入力に応じて前記データベースから所定のフォーマットでデータを選択する段階と、
前記第１移動通信端末機で生成したメッセージに前記選択データを含める段階と、
該選択データを含めたメッセージを第２移動通信端末機へ転送する段階と、
前記メッセージを受信した前記第２移動通信端末機で当該メッセージから前記データを抽出する段階と、
を含むことを特徴とするデータ転送方法。
【発明の詳細な説明】
【技術分野】
【０００１】
本発明は、移動通信端末機のデータ転送技術に係り、より詳細には、第１移動通信端末機に保存されているデータを第２移動通信端末機へ転送するためにメッセージを利用する方法及びこれを実行する移動通信端末機に関する。
【背景技術】
【０００２】
携帯電話の使用が一般化し、電話帳機能が付加されることに伴い、電話帳に知人の電話番号を保存しておくことが普通となった。これにより、相手側が他の第三者の電話番号を聞いてきた場合に、自分の携帯電話に保存してある該当電話番号を検索して教える状況も多くなっている。
【発明の開示】
【発明が解決しようとする課題】
【０００３】
上記のような場合、自分の電話帳で検索した電話番号を覚え、あるいは紙にメモするなどして、電話で相手側に教える、または、メッセージに記入して転送しなければならず、面倒である。教えてもらう相手側の立場でも、伝えられた番号を書き取ったり、受信したメッセージに記入されている番号を覚え、あるいは他の所に書き出して、そのうえで自分電話帳に書き込まなければならないという煩雑さがある。
【０００４】
すなわち、携帯電話等の移動通信端末機間で上記のような所定のデータを転送できる便利な機能を実現する方法やシステムが望まれる現状にある。本発明はこのような背景に着目したもので、電話帳に保存されているデータを手軽に転送できるデータ転送方法及びこれを実行する移動通信端末機を提供することを目的とする。また加えて、受信したデータを自機に手軽に保存することができるデータ転送方法及びこれを実行する移動通信端末機を提供することを目的とする。
【課題を解決するための手段】
【０００５】
上記目的を達成するために、本発明に係るメッセージ転送方法は、第１移動通信端末機に保存されている電話番号を第２移動通信端末機へ転送するデータ転送方法であって、前記第１移動通信端末機で所定のユーザインターフェース（User Interface）を表示し、これによる入力に応じて該第１移動通信端末機のデータベースに保存されている電話番号の選択を実行する段階と、前記第２移動通信端末機へ転送するメッセージを前記第１移動通信端末機で生成する段階と、前記第１移動通信端末機で所定のユーザインターフェースを表示し、これによる入力に応じて、前記メッセージの一情報として前記選択電話番号を含める段階と、当該メッセージを前記第１移動通信端末機から前記第２移動通信端末機へ転送する段階と、を含み、前記メッセージを受信した前記第２移動通信端末機が、当該メッセージに含まれている前記電話番号に関する操作に応じて所定の動作を実行することを特徴とする。
【０００６】
前記メッセージを受信した前記第２移動通信端末機は、当該メッセージに含まれている前記電話番号に関する操作に応じて当該電話番号へ発呼する、あるいは、当該メッセージに含まれている前記電話番号に関する操作に応じて当該電話番号を自機のデータベースに保存することを特徴とする。
【０００７】
前記メッセージの一情報として前記選択電話番号を含める段階においては、前記選択電話番号を前記メッセージの発信者情報として含める、あるいは、前記選択電話番号を前記メッセージの本文中に含めることを特徴とする。
【０００８】
前記第１移動通信端末機のデータベースに保存されている電話番号の選択を実行する段階は、前記第２移動通信端末機へ転送するメッセージを生成する段階の前に実行することができる。あるいは、前記第２移動通信端末機へ転送するメッセージを生成する段階は、前記第１移動通信端末機のデータベースに保存されている電話番号の選択を実行する段階の前に実行することができる。
【０００９】
また、本発明に係るデータ転送方法は、第１移動通信端末機のデータベースに保存されているデータを第２移動通信端末機へ転送するデータ転送方法であって、前記第１移動通信端末機で所定のユーザインターフェースを表示し、これによる入力に応じて前記データベースから所定のフォーマットでデータの選択を実行する段階と、前記第１移動通信端末機で生成したメッセージにおける発信者情報として前記選択データを含める段階と、前記選択データを含めた前記メッセージを前記第２移動通信端末機へ転送する段階と、を含むことを特徴とする。
【００１０】
前記メッセージを受信した前記第２移動通信端末機は、当該メッセージに含まれている前記データに関する操作に応じて所定の動作を実行することを特徴とする。特に、前記メッセージを受信した前記第２移動通信端末機は、当該メッセージに含まれている前記データに関する操作に応じて応答通信を実行することを特徴とする。
【００１１】
より具体的に、前記メッセージを受信した前記第２移動通信端末機は、当該メッセージに含まれている前記データに関する操作に応じて当該データの示す電話番号に発呼することを特徴とする。あるいは、前記メッセージを受信した前記第２移動通信端末機は、当該メッセージに含まれている前記データに関する操作に応じて当該データの示すメールアドレスへ送るメッセージを準備することを特徴とする。あるいは、前記メッセージを受信した前記第２移動通信端末機は、当該メッセージに含まれている前記データに関する操作に応じて自機のカレンダーに前記データによる日付を保存することを特徴とする。あるいは、前記メッセージを受信した前記第２移動通信端末機は、当該メッセージに含まれている前記データに関する操作に応じて自機の電話帳に前記データによる電話番号を保存することを特徴とする。
【００１２】
また、本発明に係るデータ転送方法は、第１移動通信端末機に保存されている電話番号を第２移動通信端末機へ転送するデータ転送方法であって、前記第１移動通信端末機で所定のユーザインターフェースを表示し、これによる入力に応じて該第１移動通信端末機のデータベースに保存されている電話番号の選択を実行する段階と、前記第２移動通信端末機へ転送する文字メッセージを前記第１移動通信端末機で生成する段階と、前記第１移動通信端末機で所定のユーザインターフェースを表示し、これによる入力に応じて、前記メッセージの一情報として前記選択電話番号を含める段階と、当該メッセージを前記第１移動通信端末機から前記第２移動通信端末機へ転送する段階と、を含むことを特徴とする。
【００１３】
前記メッセージは、該メッセージの発信者に関する情報のためのセクションを含むもので、前記第１移動通信端末機は、前記電話番号を当該セクションに含めることができる。
【００１４】
前記第１移動通信端末機のデータベースに保存されている電話番号の選択を実行する段階は、前記電話番号の一部が入力されることで電話番号検索オプションを活性化する段階と、該電話番号検索オプションにより、前記入力された電話番号の一部とマッチングする少なくとも一つの電話番号を前記データベースから検索して表示する段階と、該表示した電話番号から選択を実行する段階と、を含むことを特徴とする。
【００１５】
また、本発明に係るデータ転送方法は、第１移動通信端末機のデータベースに保存されているデータを転送するデータ転送方法であって、前記第１移動通信端末機で所定のユーザインターフェースを表示し、これによる入力に応じて前記データベースから所定のフォーマットでデータを選択する段階と、前記第１移動通信端末機で生成したメッセージに前記選択データを含める段階と、該選択データを含めたメッセージを第２移動通信端末機へ転送する段階と、前記メッセージを受信した前記第２移動通信端末機で当該メッセージから前記データを抽出する段階と、を含むことを特徴とする。
【００１６】
また、本発明に係る移動通信端末機は、所定のユーザインターフェースを表示し、これによる入力に応じて自機のデータベースから所定のフォーマットでデータを選択する手段、メッセージを生成し、該メッセージに前記選択データを含める手段、及び、前記選択データを含めた前記メッセージを他機に転送する手段、として動作する制御部を備え、前記メッセージの転送を受けた他機において当該メッセージに含まれている前記データに関する操作に応じて応答通信が実行されるように、前記データベースに保存されているデータを転送可能なことを特徴とする。
【００１７】
当該移動通信端末機から前記データを含んだ前記メッセージを受信すると、前記他機は、該メッセージに含まれている前記データに関する操作に応じて、該データの示す電話番号へ発呼する、あるいは、当該メッセージに含まれている前記データに関する操作に応じて、該データの示すメールアドレスに送信するメッセージを準備する、あるいは、当該メッセージに含まれている前記データに関する操作に応じて、該データの示すＵＲＬへアクセスする、あるいは、当該メッセージに含まれている前記データに関する操作に応じて、該データの示す電話番号に送信するメッセージを準備することを特徴とする。
【発明の効果】
【００１８】
本発明によれば、発信者の立場では、電話帳に保存されている電話番号等のデータを別途に覚えたり、他の所に書き取って再びメッセージに入力する、というような作業を不要として、希望するデータを相手側に教えることが可能になる。また、電子メールアドレスやホームページアドレスを転送し、受信者が直ちにそのアドレスに電子メールを送ったりホームページにアクセスできるという効果が得られる。
【００１９】
受信者の立場では、受信メッセージに書き込まれている電話番号等のデータを別の紙に書き取ったり覚えたりすることなく、当該データから直ちに通話したり、当該データを直ちに保存するなどの作業ができる。
【００２０】
さらに、本発明によれば、電話番号をはじめとして、電子メールアドレスやホームページアドレスなども発信者情報として含めて、メッセージを転送できる。したがって、電子メールアドレスやホームページアドレスが発信者情報として受信された場合には、確認キーやＯＫキーなどを入力すると、電子メールを送り得るサイトにアクセスすると共に電子メールアドレスが自動入力されたり、ホームページに直接アクセスすることなどができる。
【発明を実施するための最良の形態】
【００２１】
以下、本発明の実施形態を添付の図面を参照しつつ詳細に説明する。図面中、同一の構成要素には、可能な限り同一の参照符号を付ける。また、下記の説明において、周知の技術についての詳細説明は、本発明の要旨をあいまいにすると判断される場合には適宜省略するものとする。
【００２２】
本発明において、メッセージには、各種メッセージ、ＳＭＳ／ＬＭＳ／ＭＭＳ（Short/Long/Multi Message Service）などが含まれる。
【００２３】
ここで使用される‘発信者情報’(sender's information)は、第１移動通信端末機から第２移動通信端末機へメッセージを転送するときの第１移動通信端末機及び該所有者の情報としてメッセージに含まれる情報をいう。ここで、当該情報には、電話番号だけでなく、電子メールアドレスやＵＲＬ（Uniform resource locator）なども含まれる。また、ここで使用される‘個人情報’（personal information）は、端末機のデータベースに格納されたデータの一例として使われる。例えば、個人情報は、電話番号、メールアドレス、ＵＲＬ、日付、またはＰＤＡ（Personal digital assistant）に格納可能な業務、カレンダー、メモなどを含むことができる。
【００２４】
図１は、本発明の実施形態による移動通信端末機の内部構成を概略的に示すブロック構成図である。図１を参照して、メッセージ転送機能（function of transmitting message）を有する移動通信端末機について詳細に説明する。
【００２５】
図１に示すように、移動通信端末機は、メモリ（memory）１０２、キー入力部（key input unit）１０４、制御部（controller）１０６、ディスプレイ部（display）１０８、無線回路部（radio circuit unit）１１０などを備える。
【００２６】
メモリ１０２は、移動通信端末機の全般的な動作を制御する所定のプログラムを格納しており、また、制御部１０６によって移動通信端末機の全般的な動作が行われる時に入出力されるデータを、所定の設定された領域に記憶する。本実施形態におけるメモリ１０２には、使用者（ユーザ）の知人の電話番号、電子メールアドレス、ホームページアドレスを含む個人情報を保存した電話帳が格納されている。なお、メモリ１０２は、電話番号などを含む個人情報を保存する電話帳格納ユニットを備えているような構成でも良い。
【００２７】
キー入力部１０４は、電話番号などの数字を入力するための複数のキーボタンを備えており、使用者が所定のキーを押すと、該当するキーデータを発生して制御部１０６に出力する。このキー入力部１０４は、キーパッド、ジョグシャトル、ポイントスティックまたはタッチスクリーンなどで構成可能である。本実施形態のキー入力部１０４は、メッセージまたは個人情報検索のための検索条件を入力するために使用者が該当キーを押す時、該当するキーデータを制御部に出力する。
【００２８】
ディスプレイ部１０８は、各種情報を表示する液晶ディスプレイを含み、現在の移動通信端末機の状態を表示し使用者に知らせることによって、使用者が適宜制御を行うようにする機能を担う。液晶画面には、電源の状態、電波の受信強度、日時、現在のモード状態、その他の使用者情報などのような多様な情報を表示する。このような情報を使用者に伝達することによって、使用者が移動通信端末機の現状を確認し制御できるようにする。本実施形態のディスプレイ部１０８には、電話帳から獲得した検索条件にマッチングする個人情報が表示される。検索条件が名前の一部や電話番号の一部である場合、それに該当する個人情報全部を表示し、使用者による選択を可能にする。また、ディスプレイ部１０８には、メッセージ入力窓（ウインドウ）や発信者情報入力窓が表示されても良い。
【００２９】
無線回路部１１０は、無線で基地局と音声及び制御情報をやり取りできるようにする送受信用回路である。他の移動通信端末機や基地局から発信された信号をアンテナから受信して制御部１０６に送る、または、メモリ１０２に格納されているデータ等をアンテナから送信する。本実施形態の無線回路部１１０は、電話帳から獲得した電話番号を発信者番号として含めたメッセージを送信する場合などの、移動通信網との通信を実行する。
【００３０】
制御部１０６は、移動通信端末機の最も肝心な部分で、移動通信端末機の全般的な動作を制御し、算術論理演算器（arithmetic and logic unit）、レジスタ（register）、プログラムカウンタ（program counter）、命令デコーダ（command decoder）、制御回路（control circuit）などを内蔵しており、移動通信端末機の全般動作が適切になされるように制御する。
【００３１】
本実施形態の制御部１０６は、電話帳から所定の個人情報を獲得し、当該個人情報を発信者情報として含めて、無線回路部１１０を通じ移動通信網へメッセージを転送する制御を実行する。また、制御部１０６は、検索条件の入力を受け、当該検索条件にマッチングする個人情報を電話帳から獲得することができる。その検索条件は、名前の一部や全部、あるいは電話番号の一部であり得る。例えば、使用者が“Steve Dean”の個人情報を検索しようとする場合、フルネームを入力する場合もあり、“steve”のみを入力する場合もあり得る。後者の場合、制御部１０６は、メモリ１０２に保存されている電話帳から、“steve”の文字を含んだ名前をもつ個人情報全部を獲得できる。また、使用者は、電話番号の一部である“ＹＹＹＹ”を入力することもあり、この場合の制御部１０６は、電話番号の後半の番号に“ＹＹＹＹ”を含む電話番号をもつ個人情報全部を電話帳から獲得できる。このときの制御部１０６は、獲得した個人情報のうち、使用者によって選択された個人情報を発信者情報として含めたメッセージを転送するように制御する。
【００３２】
制御部１０６は、個人情報を獲得する前や後に、個人情報転送の項目（item for transmitting personal information）を含んだメニューを使用者に提供し、当該個人情報転送項目を使用者が選択した場合に、獲得した個人情報を発信者情報として含めてメッセージを転送しても良い。
【００３３】
さらに、制御部１０６は、獲得した個人情報を発信者情報として含めると共に当該個人情報をメッセージ内容として自動入力し、転送することもできる。例えば、獲得した個人情報のうち、Steve Deanの電話番号が選択され、電話番号が０１９−ＸＸＸＸ−ＹＹＹＹである場合、メッセージ内容に“Steve Deanの電話番号、０１９−ＸＸＸＸ−ＹＹＹＹ”と入力すると共に当該番号を発信者情報として含め、転送を行っても良い。または、獲得した個人情報のうち、Steve Deanの電子メールが選択され、該電子メールアドレスがｓｓｓ＠ｈｈｈ.ｃｏｍの場合、メッセージ内容に“Steve Deanの電子メール、ｓｓｓ＠ｈｈｈ．ｃｏｍ”と入力すると共に当該アドレスを発信者情報として含め、転送を行っても良い。このような場合、個人情報以外の部分のメッセージ内容（文章）は、使用者が予めつくって保存しておいたものとすることができる。例えば、個人情報転送機能を行う場合に使用するメッセージ内容として、“私はＡＡＡ、ＯＯＯの電話番号はＯＯＯ−ＯＯＯＯ−ＯＯＯＯです。”という内容を予め使用者が作成し、保存しておいても良い。この場合には、使用者がメッセージを別に入力することなく、獲得した個人情報を直ちに発信者情報として含めてメッセージを転送でき、便利である。
【００３４】
他の実施形態によれば、制御部１０６は、検索の項目を含むメニューを提供する発信者情報入力窓をディスプレイ部１０８に表示し、使用者が検索項目を選択し検索条件を入力した場合に、当該検索条件にマッチングする個人情報を電話帳から獲得して発信者情報として表示し、無線回路部１１０を通じて移動通信網にメッセージを転送する制御を実行する。その検索条件は、名前の一部や全部、または電話番号の一部であり得る。このときの制御部１０６は、獲得した個人情報を発信者情報として含めると共に当該個人情報をメッセージ内容として自動入力し、転送を行っても良い。その例は前述した通りである。
【００３５】
図２は、電話帳から獲得した電話番号を発信者番号として含めたメッセージを転送する過程を概略的に説明したフローチャートである。図４Ａ乃至図４Ｄは、そのときのディスプレイ部表示画面の例示図である。これら図２及び図４を参照して、電話帳から獲得した電話番号を発信者番号として含めたメッセージを転送する過程の例を詳細に説明する。ここでは説明の便宜上、電話番号を例に挙げているが、電話番号の他、電子メールやホームページのアドレスなどを個人情報として獲得（抽出）し、発信者情報として含めてメッセージを転送することも可能である。
【００３６】
まず、使用者は、電話番号検索条件を入力する（Ｓ２０２）。このとき、使用者は、電話番号検索メニューを選択し、検索条件を入力可能な検索窓をディスプレイ部１０８に表示させ、これを介して検索条件を入力しても良い。あるいは、電話番号の一部を直に入力するような方式でも良い。このような制御を制御部１０６が実行する。
【００３７】
制御部１０６は、入力された検索条件にマッチングする電話番号を電話帳で検索し、獲得されたものを使用者へ提供（表示）する（Ｓ２０４）。図４Ａに例示したように、電話番号検索条件にマッチングする電話番号または使用者名、すなわち個人情報は、複数獲得され得る。獲得できた個人情報は、ディスプレイ部１０８にディスプレイされる。
【００３８】
使用者は、検索で該当した電話番号が複数表示された場合、いずれかの電話番号を選択すれば良い（Ｓ２０６）。このとき、例えば、獲得電話番号の所属する個人情報が、電話番号の他に電子メールアドレス及びホームページアドレスも含んでいる場合、それらのうちいずれかを選択できるように制御することもできる。すなわち、個人情報の中の少なくとも一つの情報を選択することができる。
【００３９】
電話番号が選択されると、個人情報転送項目を含んだメニューを提供（表示）する（Ｓ２０８）。ただし、このメニューは、電話番号選択にかかわらずに提供するようにしても良い。あるいは、使用者が任意にメニューを検索して選択するような方式でも良い。図４Ｂに例示したように、個人情報転送項目（Transmit number）を含んだメニューがディスプレイ部１０８に表示され、使用者が選択できるようにされる。
【００４０】
継いで、使用者が個人情報転送項目を選択するか否かを判断し（Ｓ２１０）、個人情報転送項目が選択されると、本例では電話番号を発信者番号として表示し記憶する（Ｓ２１２）。図４Ｃに例示したように、転送するメッセージの発信者番号として、獲得した電話番号“０１９−ＸＸＸＸ−ＹＹＹＹ”を添付し、表示する。本例において当該電話番号は、発信者番号を表示すべく設定されたメッセージのセクションにディスプレイ可能である。
【００４１】
その後、制御部１０６は、使用者がメッセージ転送要請をするかどうか判断する（Ｓ２１４）。メッセージ転送の要請が確認されれば、使用者の選択に係る電話番号を発信者番号として含めてメッセージを転送する（Ｓ２１６）。図４Ｄに例示したように、発信者は、“私はＸＸ、Steveの番号です。（It's XX. Steve's number.）”という内容を入力したショートメッセージを転送することもできる。または、前述したように、電話帳から獲得した電話番号をメッセージ内容（本文）として自動入力して転送しても良い。
【００４２】
なお、以上の過程において、個人情報転送項目を含んだメニューを提供し、選択を待つ段階であるＳ２０８−Ｓ２１０は、その前の電話番号検索の段階に先立って実行することもできる。
【００４３】
図３及び図５Ａ乃至図５Ｄには、使用者が文章を作成すると共に電話帳から獲得した電話番号を含めたメッセージを転送する方法の例を示している。ここでも、説明の便宜上、電話番号を例に挙げているが、その他の電子メールアドレスやホームページアドレスを含む個人情報を獲得し、これを発信者情報として含めたメッセージを転送することもできる。
【００４４】
まず、制御部１０６は、メッセージ入力窓（input window for message）を使用者に提供（表示）する（Ｓ３０２）。この入力窓により、例えば図５Ａに示すように、“私はＸＸ、Steveの番号です。（It's XX. Steve's number.）”という内容を使用者が入力し、確認キーを入力する。
【００４５】
続いて、メッセージ入力の完了か否か判断する（Ｓ３０４）。メッセージ入力完了は、使用者が確認キーやＯＫキーなどを選択して入力した場合とすることができる。これによりメッセージ入力の完了が確認されると、図５Ｂに例示したように、メッセージに含める電話番号を格納してあるデータベース（すなわち電話帳）を検索する命令（Search number）を受けるためのメニューを使用者に提供し（Ｓ３０６）、そのメニュー中の検索オプション（個人情報検索項目）が選択されるか否かを判断する（Ｓ３０８）。検索する個人情報としては電話番号の他にも、電子メールやホームページのアドレスなどとすることが可能で、これらのうちの一つ以上を選択するようにしてもよい。
【００４６】
Ｓ３０８段階で検索オプションが選択されなかったと判断した場合は、発信者情報を表示すべく設定されたメッセージの一部分に、自機の端末識別番号（自分の電話番号）を表示する（Ｓ３１０）。
【００４７】
一方、Ｓ３０８段階で検索オプションが選択された場合には、検索条件（キーワード等）を入力できる検索窓を使用者に提供する（Ｓ３１２）。この検索窓から使用者によって検索条件が入力されると（Ｓ３１４）、データベース（電話帳）から検索条件にマッチングする電話番号を獲得し、ディスプレイ部１０８に表示する（Ｓ３１６）。このとき、検索条件によっては複数の電話番号が獲得され得る。図５Ｃに例示したように、検索窓に“Steve Dean”という名前を入力すると、これにマッチングする電話番号がデータベースから獲得されて表示される。
【００４８】
この獲得した電話番号の中から使用者によっていずれかが選択されると（Ｓ３１８）、当該選択電話番号を表示すると共にメッセージに含める（Ｓ３２０）。図５Ｄに例示したように、発信者番号を表示するよう設定されたメッセージの一部分に、選択に係る電話番号“０１９−ＸＸＸＸ−ＹＹＹＹ”を表示する。前述したように、このような選択情報は、メッセージ発信者情報として含める以外にも、例えばメッセージの本文、メッセージヘッダ等とすることも可能である。
【００４９】
この後、使用者が受信者番号入力窓（window for inputting receiver's number）に、受信相手の番号を入力し（すなわち図中の“to:”の部分）、確認キー、ＯＫキーまたは転送キーを入力すると、前記発信者番号を含めたメッセージが転送される（Ｓ３２２）。
【００５０】
なお、以上の過程のうち、メッセージを入力する段階であるＳ３０２−Ｓ３０４段階と、電話番号を入力する段階であるＳ３０６−Ｓ３２０段階とは、端末機の種類や設定によって、順序を入れ替えるようにしても良い。
【００５１】
以上の説明は、本発明の技術思想を例示的に説明したものに過ぎず、本発明の属する技術分野における通常の知識を持つ者にとって、発明の本質的な特性を逸脱しない範囲で様々な修正及び変形が可能である。したがって、本明細書に開示された実施形態は、本発明の技術思想を限定するためのものではなく、本発明を説明するためのもので、これらの実施形態によって本発明の技術思想の範囲が限定されることはない。本発明の保護範囲は、添付の請求範囲の解析によって定められるべきであり、これと同等範囲内の技術思想はいずれも本発明の権利範囲に属するものとして理解しなければならない。
【００５２】
本発明によれば、発信者の立場では、電話帳に保存されている電話番号を別途に覚えたり、他の所に書き取ってメッセージに入力し直す作業を不要として、希望する電話番号を相手側に教えることが可能になる。また、メールアドレスやホームページアドレスを転送し、受信者が直ちに電子メールを送ったりホームページにアクセスできるようにするという効果も得られる。
【００５３】
一方、受信者の立場では、受信したメッセージに書き込まれた電話番号を別の紙に書き取ったり覚えたりすることなく、当該番号へ直に通話したり、当該番号を直に保存することができる。
【００５４】
たとえば一例では、発信者が電話帳から獲得した電話番号を発信者番号として含めたメッセージを受信（図６Ａに例示）した受信者は、発信者番号からその電話番号を確認することができるし、メッセージ本文において誰の電話番号か確認することができる（図６Ｂに例示）。そして受信者は、当該電話番号に関する操作を行い、たとえば、発信者番号の保存メニュー（Save number）を選択し（図６Ｃに例示）、電話番号を直に自機の電話帳へ保存することができる（図６Ｄに例示）。あるいは、通話キーを入力することにより、発信者番号に直接電話（発呼）をかけることもできる。すなわち、発信者番号に関する使用者による操作に応じて、受信側の移動通信端末機が所定の動作、たとえば、通話（コールバック）や返信（メール）、ホームページへのアクセスなどの応答通信、あるいはデータの保存を実行する。このために、当該個人情報のフォーマットは、受信側移動通信端末機のデータベースに保存可能なフォーマットである。
【００５５】
本発明によれば、電話番号をはじめとして、電子メールアドレスやホームページアドレスなども発信者情報として含めてメッセージを転送できる。したがって、電子メールアドレスやホームページアドレスが発信者情報として受信された場合には、確認キーやＯＫキーなどを入力すると、電子メールを送り得るサイトにアクセスすると共に電子メールアドレスが自動入力されたり、ホームページに直接アクセスすることが可能となる。あるいは、日付（イベントの）やスケジュールなどのデータが送られてきた場合には、自機のカレンダーに対し当該データを関連付けて保存することができる。
【図面の簡単な説明】
【００５６】
【図１】本発明の実施形態に係る移動通信端末機の内部構成を概略的に示すブロック構成図。
【図２】電話帳から獲得した電話番号を発信者番号として含めてメッセージを転送する過程を概略的に示すフローチャート。
【図３】発信者がメッセージを作成すると共に電話帳から獲得した電話番号を発信者番号として含めてメッセージを転送する過程を示すフローチャート。
【図４Ａ】図２の過程の実行画面を例示した図。
【図４Ｂ】図２の過程の実行画面を例示した図。
【図４Ｃ】図２の過程の実行画面を例示した図。
【図４Ｄ】図２の過程の実行画面を例示した図。
【図５Ａ】図３の過程の実行画面を例示した図。
【図５Ｂ】図３の過程の実行画面を例示した図。
【図５Ｃ】図３の過程の実行画面を例示した図。
【図５Ｄ】図３の過程の実行画面を例示した図。
【図６Ａ】受信者側の表示画面を例示した図。
【図６Ｂ】受信者側の表示画面を例示した図。
【図６Ｃ】受信者側の表示画面を例示した図。
【図６Ｄ】受信者側の表示画面を例示した図。
【符号の説明】
【００５７】
１０２  メモリ
１０４  キー入力部
１０６  制御部
１０８  ディスプレイ部
１１０  無線回路部
【図１】
2007202113.tif 000003
【図２】
2007202113.tif 000004
【図３】
2007202113.tif 000005
【図４Ａ】
2007202113.tif 000006
【図４Ｂ】
2007202113.tif 000007
【図４Ｃ】
2007202113.tif 000008
【図４Ｄ】
2007202113.tif 000009
【図５Ａ】
2007202113.tif 000010
【図５Ｂ】
2007202113.tif 000011
【図５Ｃ】
2007202113.tif 000012
【図５Ｄ】
2007202113.tif 000013
【図６Ａ】
2007202113.tif 000014
【図６Ｂ】
2007202113.tif 000015
【図６Ｃ】
2007202113.tif 000016
【図６Ｄ】
2007202113.tif 000017